(57)【要約】 【課題】壊れにくい電子機器を提供する。【解決手段】一つの実施形態によれば、電子機器は、第１筐体と、第２筐体とを有する。前記第２筐体は、第１部分と、該第１部分に取り付けられ、該第１部分よりも弾性が高い第２部分とを有して前記第１筐体に回動可能に連結されている。指掛け部は、前記第２部分に設けられている。【選択図】図６
2015049619.tif 000002
【特許請求の範囲】
【請求項１】
第１筐体と、
第１部分と、該第１部分に取り付けられ、該第１部分よりも弾性が高い第２部分とを有して前記第１筐体に回動可能に連結された第２筐体と、
前記第２部分に設けられた指掛け部と、
を備えた電子機器。
【請求項２】
請求項１の記載において、
前記第２部分は、前記第２筐体の周縁に沿う枠体を含み、
前記指掛け部は、前記枠体から突出した突起である電子機器。
【請求項３】
請求項１または請求項２の記載において、
前記指掛け部は、前記第２筐体と前記第１筐体とが重ねられた状態で、前記第２筐体の回動方向とは交差した方向に前記第１筐体の端面よりも突出した電子機器。
【請求項４】
請求項１乃至請求項３のいずれかの記載において、
前記第２筐体は、前記第２筐体と前記第１筐体とが重ねられた状態で、前記第１筐体に面する第１部材と、該第１部材に組み合わされるとともに該第１部材とは反対側に位置した第２部材とを有し、
前記第２部分は、前記第１部材に設けられた電子機器。
【請求項５】
請求項４の記載において、
前記第２筐体に収容された表示装置をさらに備え、
前記第１部材は、前記表示装置の表示画面が露出する開口部が設けられたマスクであり、前記第２部材は、前記表示装置の背面を覆うカバーである電子機器。
【請求項６】
請求項４または請求項５の記載において、
前記第１部材は、前記指掛け部の近傍に設けられた第１係合部を有し、
前記第２部材は、前記第１部材を前記第２部材から離す向きの力が前記指掛け部に作用したときに前記第１係合部に掛かる前記第２係合部を有した電子機器。
【請求項７】
請求項６の記載において、
前記第１係合部は、前記指掛け部の長手方向で前記指掛け部の中心の両側に分かれて位置した一対の第１フックを含み、前記第２係合部は、前記一対の第１フックに掛かる一対の第２フックを含む電子機器。
【請求項８】
請求項７の記載において、
前記一対の第２フックは、前記一対の第１フックの間に位置し、
前記一対の第１フックは、それぞれ、前記第１部材に接続された基端部と、この基端部から前記指掛け部の中心側に延びて前記一対の第２フックのいずれかに掛かる先端部とを有した電子機器。
【請求項９】
請求項１乃至請求項８の記載において、
前記指掛け部を含む前記第２部分は、エラストマーで形成された電子機器。
【請求項１０】
請求項１乃至請求項９の記載において、
前記指掛け部を含む前記第２部分は、前記第１部分と共にダブルインジェクションで形成された電子機器。
【発明の詳細な説明】
【技術分野】
【０００１】
本発明の実施形態は、第１筐体と、該第１筐体に対して回動可能な第２筐体とを有した電子機器に関する。
【背景技術】
【０００２】
第１筐体と、該第１筐体に対して回動可能な第２筐体とを有し、前記第２筐体にラバーバンパーが設けられた電子機器が提供されている。
【先行技術文献】
【特許文献】
【０００３】
【特許文献１】特開２０１３−７７０８２号公報
【発明の概要】
【発明が解決しようとする課題】
【０００４】
電子機器は、壊れにくいことが要望されている。
【０００５】
本発明の目的の一つは、壊れにくい電子機器を提供することである。
【課題を解決するための手段】
【０００６】
一つの実施形態によれば、電子機器は、第１筐体と、第２筐体とを有する。前記第２筐体は、第１部分と、該第１部分に取り付けられ、該第１部分よりも弾性が高い第２部分とを有して前記第１筐体に回動可能に連結されている。指掛け部は、前記第２部分に設けられている。
【図面の簡単な説明】
【０００７】
【図１】一つの実施形態に係る電子機器の斜視図。
【図２】図１中に示された指掛け部を含む第２部分を模式的に示す正面図。
【図３】図１中に示された電子機器のＦ３線で囲まれた領域を拡大して示す斜視図。
【図４】図１中に示された第１筐体及び第２筐体の一部を示す側面図。
【図５】図１中に示された第２筐体の一部を示す側面図。
【図６】図１中に示された第２筐体の断面図。
【図７】図１中に示された第２筐体の上端部の内部構造を示す正面図。
【図８】図７中に示された第２筐体のＦ８−Ｆ８線に沿う断面図。
【図９】図７中に示された第２筐体のＦ９−Ｆ９線に沿う断面図。
【図１０】図９中に示された構造のマスクが撓んだ場合を模式的に示す断面図。
【発明を実施するための形態】
【０００８】
以下、実施の形態について、図面を参照して説明する。  
なお本明細書では、いくつかの要素に複数の表現の例を付している。なおこれら表現の例はあくまで例示であり、上記要素が他の表現で表現されることを否定するものではない。また、複数の表現が付されていない要素についても、別の表現で表現されてもよい。
【０００９】
図１乃至図１０は、一つの実施形態に係る電子機器１を示す。電子機器１は、例えばノートブック型ポータブルコンピュータ（ノートＰＣ）である。なお、本実施形態が適用可能な電子機器は、上記例に限られない。本実施形態は、回動可能な筐体を有する種々の電子機器、例えば携帯電話やゲーム機などにも広く適用可能である。
【００１０】
図１に示すように、電子機器１は、第１筐体２、第２筐体３、及び一対のヒンジ４ａ，４ｂを有する。第１筐体２は、例えば本体筐体である。第１筐体２は、例えばメインボードとしての回路基板５が収容されている。
【００１１】
第１筐体２は、上壁１１、下壁１２（底壁）、及び周壁１３を有し、扁平な箱状に形成されている。なお本明細書では、ユーザーから見て、上下左右を定義している。また、ユーザーに近い方を「前」、ユーザーから遠い方を「後」と定義している。
【００１２】
上壁１１は、第１筐体２の長手方向（例えば略水平方向）に延びている。上壁１１は、入力部の一例としてのキーボード１４が設けられている。なお、上壁１１に設けられる入力部は、キーボード１４に限らず、例えばタッチパネル（タッチセンサ）やその他の入力装置でもよい。
【００１３】
下壁１２は、上壁１１とは反対側に位置する。下壁１２は、例えば上壁１１と略平行に延びている。下壁１２は、電子機器１を机の上に置いた時に、その机上面（外部載置面）に向かい合う。下壁１２は、例えば複数の脚部１５（支持部）を有する。電子機器１が机の上に置かれた時、脚部１５は、机上面に接して電子機器１を支持する。
【００１４】
周壁１３は、上壁１１及び下壁１２とは交差した方向に延び、下壁１２の周縁部と上壁１１の周縁部を繋いでいる。周壁１３は、第１筐体２の厚さ方向に延びている。また、第１筐体２は、第１端部２ａ（後端部）と、該第１端部２ａとは反対側に位置した第２端部２ｂ（前端部）とを有する。
【００１５】
一方で、第２筐体３は、例えば表示筐体である。第２筐体３は、表示装置２０（表示モジュール、ユニット）が収容されている。表示装置２０の一例は、液晶表示装置であるが、これに限らない。表示装置２０は、画像が表示される表示画面２０ａを有する。
【００１６】
第２筐体３は、前壁２１（下壁、第１壁）、背壁２２（後壁、上壁、第２壁）、及び周壁２３（側壁、第３壁）を有し、扁平な箱状に形成されている。前壁２１は、表示画面２０ａが露出する開口部２１ａが設けられている。背壁２２は、前壁２１とは反対側に位置し、前壁２１と略平行に延びている。背壁２２は、表示装置２０の背面を覆う。周壁２３は、前壁２１及び背壁２２とは交差した方向に延び、前壁２１の周縁部と背壁２２の周縁部とを繋いでいる。周壁２３は、例えば背壁２２の端部から前壁２１の端部に向かう緩やかな円弧状に形成されている。
【００１７】
第２筐体３は、第１端部３ａ（下端部）と、該第１端部３ａとは反対側に位置した第２端部３ｂ（上端部）とを有する。第２筐体３の第２端部３ｂには、アンテナ２４ａ，２４ｂ、及びカメラモジュール２５が収容されている。前壁２１は、カメラモジュール２５のカメラ（撮像部）が外部に露出する穴２１ｂ（撮影窓、カメラ穴、開口部）を有する。穴２１ｂは、第２筐体３の幅方向（左右方向）の中央部に位置する。
【００１８】
ヒンジ４ａ，４ｂは、第１筐体２の第１端部２ａと第２筐体３の第１端部３ａとを回動可能（開閉可能）に連結している。これにより、電子機器１は、開閉可能（変形可能、折り畳み可能）である。第２筐体３は、下記の第１状態（閉じ状態）と、第２状態（開き状態）との間で回動可能である。
【００１９】
第１状態は、第２筐体３が第１筐体２に重ねられ、電子機器１が閉じられた状態である。具体的には、第１筐体２の上壁１１と第２筐体３の前壁２１とが重ねられ、表示画面２０ａ及びキーボード１４が外部から隠される。一方で、第２状態は、第１筐体２に対して第２筐体３が起され、電子機器１が開かれた状態である。この第２状態では、表示画面２０ａ及びキーボード１４が外部に露出される。
【００２０】
次に、第２筐体３の構造について詳しく説明する。  
図１に示すように、第２筐体３は、マスク３１と、カバー３２とを有する。マスク３１は、「第１部材」の一例である。マスク３１は、第１筐体２と第２筐体３とが重ねられた状態で、第１筐体２に面する。マスク３１は、開口部２１ａが設けられた前壁２１を含む。カバー３２は、「第２部材」の一例である。カバー３２は、マスク３１とは反対側に位置するとともに、背壁２２及び周壁２３を含む。マスク３１とカバー３２とが組み合わされることで、第２筐体３が形成されている。
【００２１】
ここで、第２筐体３は、第１部分４１と、第２部分４２とを有する。第１部分４１は、例えば硬質のプラスチック、または金属で形成された部分である。第１部分４１は、第２筐体３の大部分を含む。具体的には、第１部分４１は、マスク３１の大部分と、カバー３２の全部とを含む。第１部分４１は、前壁２１、背壁２２、及び周壁２３を含む。
【００２２】
図２は、説明の便宜上、第２部分４２にハッチングを施して示す。第２部分４２は、第１部分４１よりも弾性が高く、柔らかい部分である。第２部分４２は、第１部分４１に取り付けられている。詳しく述べると、第２部分４２は、マスク３１に設けられている。第２部分４２は、第２筐体３の周縁（マスク３１の周縁）に沿う枠体４４を含む。枠体４４は、表示画面２０ａが露出する開口部２１ａを囲む比較的大きな枠体である。
【００２３】
第２部分４２は、例えばエラストマーで形成されている。第２部分４２は、例えば熱可塑性ポリウレタンエラストマー（ＴＰＵ；Thermoplastic Polyurethane）で形成されている。ＴＰＵは、ウレタンゴムまたはウレタン樹脂とも呼ばれるプラスチックの一種で、ゴムのように柔らかい高分子素材である。ＴＰＵは、一定以上の温度まで加熱すると柔らかくなって狙い通りの形状へ簡単に加工でき、冷えると固まるという性質を有する。なお、第２部分４２の材料は、上記例に限定されるものではない。
【００２４】
図２及び図３に示すように、第２部分４２には、第２筐体３の開閉時にユーザーが指を掛けることができる指掛け部４５（指掛け突起部、取手）が設けられている。指掛け部４５は、第２部分４２の一部として、枠体４４と一体に設けられている。すなわち、指掛け部４５は、第２部分４２と同じ材料で形成されている。指掛け部４５を含む第２部分４２は、例えば第１部分４１の樹脂と共にダブルインジェクションで形成される。
【００２５】
指掛け部４５は、第２筐体３の第２端部３ｂ（上端部）の中央部に設けられている。指掛け部４５は、枠体４４から突出した突起である。指掛け部４５は、前壁２１に沿う方向で、第２筐体３の外側に向いて突出している。指掛け部４５は、第２筐体３の幅方向（左右方向）に所定の長さを有する。
【００２６】
図４に示すように、指掛け部４５は、第２筐体３と第１筐体２とが重ねられた状態で、第２筐体３の回動方向とは交差した方向（例えば第１筐体２の上壁１１に沿う方向）で、第１筐体２の端面（前壁２１）よりも突出する。
【００２７】
ここで、図１及び図４に示すように、第１筐体２の前壁２１は、第１筐体２の左右方向の略全幅に亘り直線状に延びており、指掛け部４５に対応した位置に窪みは設けられていない。このため、第１筐体２の外観がすっきりとしたものになり、電子機器１のデザイン性を向上させることができる。
【００２８】
次に、第２部分４２の構成について詳しく説明する。  
図２及び図５に示すように、枠体４４は、前壁２１の全周縁に沿って設けられている。図６に示すように、前壁２１の周縁部は、段差部２１ｃを有する。段差部２１ｃでは、前壁２１の表面が窪んでいる。枠体４４は、段差部２１ｃに取り付けられ、前壁２１の周縁部において前壁２１の前面４７及び側面４８を覆う。つまり、枠体４４は、前壁２１の周縁部を前方から側方に亘って覆うＬ字状に形成されている。
【００２９】
図６に示すように、枠体４４は、前壁２１の前面４７よりも前方に突出した当接部４９（クッション部）を有する。当接部４９は、第２筐体３の全周縁に沿う枠状に設けられている。当接部４９は、第２筐体３と第１筐体２とが重ねられた状態で、第２筐体３の第１部分４１と第１筐体２との間に介在される。
【００３０】
換言すれば、第２筐体３と第１筐体２とが重ねられた状態で、当接部４９は、第２筐体３の第１部分４１に比べて、第１筐体２の近くに位置する。当接部４９は、第２筐体３と第１筐体２とが重ねられた状態で、第１筐体２の上壁１１に接してもよく、僅かな隙間を空けて離れていてもよい。
【００３１】
当接部４９が設けられることで、第２筐体３の第１部分４１と第２筐体３とが直接に接触することを避けることができ、キーボード１４や表示画面２０ａが傷つくことを避けることができる。また、当接部４９が設けられることで、第２筐体３と第１筐体２とが重ねられた状態で、第１筐体２と第２筐体３とが隙間やずれなく密着しているように見え、電子機器１の見栄えが良くなる。
【００３２】
図６に示すように、指掛け部４５は、前壁２１の延長線上に位置する。指掛け部４５は、当接部４９との間に段差を有し、当接部４９に比べてカバー３２の近くに位置する。指掛け部４５の一例は、前壁２１の厚さよりも薄い。これにより、指掛け部４５が必要以上に目立つことを避け、電子機器１の外観をすっきりとしたものにすることができる。
【００３３】
次に、マスク３１とカバー３２との係合構造について詳しく述べる。  
図６及び図７に示すように、マスク３１は、指掛け部４５の近傍に第１係合部５１を有する。一方で、カバー３２は、マスク３１をカバー３２から離す向き力が指掛け部４５に作用したときに第１係合部５１に掛かる第２係合部５２を有する。なお、第２係合部５２は、第１係合部５１に常に係合していても（接触していても）よく、または、通常時は第１係合部５１と第２係合部５２との間に隙間が存在するとともに、外力が作用したときに第１係合部５１と第２係合部５２とが係合しても（接触しても）よい。このような第１係合部５１及び第２係合部５２が設けられることで、第２筐体３を閉じる際にマスク３１とカバー３２との境界部（合わせ面）に隙間が生じることが防止される。
【００３４】
詳しく述べると、図７に示すように、第１係合部５１は、指掛け部４５の長手方向で、指掛け部４５の中心の両側に分かれて位置した一対の第１フック５３ａ，５３ｂ（第１爪部）を含む。第２係合部５２は、指掛け部４５の長手方向で、指掛け部４５の中心の両側に分かれて位置し、一対の第１フック５３ａ，５３ｂに掛かる一対の第２フック５４ａ，５４ｂ（第２爪部）を含む。一対の第２フック５４ａ，５４ｂは、一対の第１フック５３ａ，５３ｂの間に位置する。
【００３５】
図８及び図９に示すように、一対の第１フック５３ａ，５３ｂは、それぞれ、前壁２１の内面に接続された基端部５５（支持部）と、この基端部５５から指掛け部４５の中心側に延びて第２フック５４ａ，５４ｂのいずれかに掛かる先端部５６（掛かり部）とを有する。一対の第２フック５４ａ，５４ｂは、それぞれ、前壁２１の内面に接続された基端部５７（支持部）と、この基端部５７から第１フック５３ａ，５３ｂに向いて延びて、第１フック５３ａ，５３ｂのいずれかに掛かる先端部５８（掛かり部）とを有する。
【００３６】
すなわち、一対の第１フック５３ａ，５３ｂは、一対の第２フック５４ａ，５４ｂを外側から抱え込んでいる。詳しくは後述するが、このような構成によれば、第２筐体３を閉める方向の力（マスク３１からカバー３２とは反対側に向かう力）が指掛け部４５に加わってマスク３１が撓んだ時には、第１係合部５１と第２係合部５２との係合がより強くなる。なお、第１フック５３ａ，５３ｂ及び第２フック５４ａ，５４ｂの数は、それぞれ、２つに限らず、１つでもよく、３つ以上でもよい。
【００３７】
このような構成によれば、デザイン性を向上させるとともに、壊れにくい電子機器１を提供することができる。
【００３８】
一般的な電子機器は、表示部を開きやすいように、本体部の前端部に指掛け用の凹部が設けられている。ユーザーは、この凹部に指先を入れることで、表示部の端部に指を掛けることができる。しかしながら、このような電子機器は、本体部の前端部に凹部が設けられるため、電子機器のデザイン性及び内部構造の自由度が低下してしまう。
【００３９】
そこで、電子機器の表示部に指掛け用の突起部を設けることが考えられる。この場合、突起部は、例えば表示部の筐体の一部として形成される。しかしながら、指掛け用の突起部を筐体と同じ硬質のプラスチックで形成した場合、例えば誤って電子機器を落下させた場合に、この突起部から衝撃が入力され、表示部が破損する場合が考えられる。
【００４０】
そこで本実施形態に係る電子機器１は、第１筐体２と、第２筐体３とを有する。第２筐体３は、第１部分４１と、該第１部分４１に取り付けられ、該第１部分４１よりも弾性が高い第２部分４２とを有し、第１筐体２に回動可能に連結されている。そして、指掛け部４５は、第２部分４２に設けられている。
【００４１】
このような構成によれば、第１部分４１よりも弾性が高い第２部分４２に指掛け部４５が設けられているため、例えば誤って電子機器を落下させた場合でも、指掛け部４５が衝撃の一部を吸収することができる。このため、より壊れにくい電子機器１を提供することができる。また、指掛け部４５を第２筐体３に設けることで、第１筐体２に指掛け用の凹部を設ける必要がなくなり、電子機器１のデザイン性や内部構造の自由度を向上させることができる。
【００４２】
本実施形態では、指掛け部４５を含む第２部分４２は、エラストマーで形成されている。これにより、指掛け部４５に適度な弾性や柔軟性を与えることができる。また、エラストマー（例えばＴＰＵ）によって形成された指掛け部４５は、滑り難くて操作性が良い。このため、電子機器１の操作性を向上させることもできる。
【００４３】
本実施形態では、指掛け部４５を含む第２部分４２は、第１部分４１と共にダブルインジェクションで形成されている。このような構成によれば、比較的容易に、材質が異なる第２部分４２を第１部分４１と一体に設けることができる。これにより、電子機器１の製造性を高めることができるとともに、電子機器１のコストダウンを図ることができる。
【００４４】
本実施形態では、第２部分４２は、第２筐体３の周縁に沿う枠体４４を含む。指掛け部４５は、枠体４４から突出した突起である。このような構成によれば、指掛け部４５に作用する力を、枠体４４の全体（第２筐体３の全体）で受けることができる。このため、指掛け部４５や第２筐体３の一部に負荷が集中して指掛け部４５や第２筐体３の一部が破損するようなことを避けることができる。
【００４５】
本実施形態では、指掛け部４５は、第２筐体３と第１筐体２とが重ねられた状態で、第２筐体３の回動方向とは交差した方向に、第１筐体２の端面よりも突出している。このような構成によれば、指掛け部４５に指を掛けやすく、電子機器１の操作性をより向上させることができる。
【００４６】
本実施形態では、第２筐体３は、第２筐体３と第１筐体２とが重ねられた状態で、第１筐体２に面する第１部材（例えばマスク３１）と、該第１部材に組み合わされるとともに該第１部材とは反対側に位置した第２部材（例えばカバー３２）とを有する。そして、第２部分４２は、前記第１部材に設けられている。
【００４７】
このような構成によれば、指掛け部４５からの力は前記第１部材に掛かるので、第２筐体３を開く時（第２筐体３を前記第１状態から前記第２状態に変化させる時）には、前記第１部材と前記第２部材とを離すような力が作用しない。このため、前記第１部材と前記第２部材との境界部（合わせ面）に隙間が生じない。
【００４８】
一方で、第２筐体３を閉じる時（第２筐体３を前記第２状態から前記第１状態に変化させる時）は、前記第２部材の背面（例えばカバー３２の背壁）に手を掛けて第２筐体３を倒す場合が多い。このため、第２筐体３を閉じる場合にも、前記第１部材と前記第２部材とを離すような力が作用しない場合が多い。このため、前記第１部材と前記第２部材との境界部に隙間が生じにくい。
【００４９】
次に、指掛け部４５を利用して第２筐体３を閉じる場合について説明する。  
ここで仮に、指掛け部４５が硬質のプラスチックで形成されている場合、指掛け部４５に強い力が作用すると、前記第１部材が前記第２部材から外れてしまう可能性がある。しかしながら、本実施形態では、指掛け部４５が弾性を有するため、指掛け部４５に強い力が作用した場合であっても、その力の一部を指掛け部４５で吸収することができる。このため、指掛け部４５に強い力が作用した場合であっても、前記第１部材が前記第２部材から外れにくく（前記第１部材と前記第２部材との境界部に隙間が生じにくく）、電子機器１の外観の見栄えを向上させることができる。
【００５０】
本実施形態では、前記第１部材は、指掛け部４５の近傍に設けられた第１係合部５１を有する。前記第２部材は、前記第１部材を前記第２部材から離す向きの力が指掛け部４５に作用したときに第１係合部５１に掛かる第２係合部５２を有する。このような構成によれば、指掛け部４５を利用して第２筐体３を閉じる時でも、第１係合部５１と第２係合部５２との係合によって前記第１部材が前記第２部材から外れにくい。このため、前記第１部材と前記第２部材との境界部に隙間が生じにくく、電子機器１の外観の見栄えを向上させることができる。
【００５１】
本実施形態では、第１係合部５１は、指掛け部４５の長手方向で、指掛け部４５の中心の両側に分かれて位置した一対の第１フック５３ａ，５３ｂを含む。第２係合部５２は、一対の第１フック５３ａ，５３ｂに掛かる一対の第２フック５４ａ，５４ｂを含む。このような構成によれば、比較的幅が広い指掛け部４５を設けても、第１係合部５１と第２係合部５２とによって、前記第１部材と前記第２部材との係合状態を確実に維持することができる。このため、前記第１部材が前記第２部材から外れにくく（前記第１部材と前記第２部材との境界部に隙間が生じにくく）、電子機器１の外観の見栄えを向上させることができる。
【００５２】
本実施形態では、一対の第２フック５４ａ，５４ｂは、一対の第１フック５３ａ，５３ｂの間に位置する。一対の第１フック５３ａ，５３ｂは、それぞれ、前記第１部材に接続された基端部５５と、この基端部５５から指掛け部４５の中心側に延びて一対の第２フック５４ａ，５４ｂのいずれかに掛かる先端部５６とを有する。このような構成によれば、一対の第１フック５３ａ，５３ｂによって、第２係合部５２を外側から抱える構造が実現される。以下に、図１０を参照して、この構造について詳しく示す。
【００５３】
図１０は、第２筐体３を閉じる時に指掛け部４５に力が作用し、前記第１部材の中央部が撓む場合を模式的に示す。図１０に示すように、この場合、前記第１部材は、一対の第１フック５３ａ，５３ｂの先端部５６が第２フック５４ａ，５４ｂに押し当てられる方向に変形する。このため、指掛け部４５を利用して第２筐体３を閉じる時に、前記第１部材が撓んだ場合は、第１係合部５１と第２係合部５２との係合がより強くなる。このため、第１フック５３ａ，５３ｂと第２フック５４ａ，５４ｂとの間の係合は確実に維持される。このため、前記第１部材が前記第２部材からさらに外れにくく（前記第１部材と前記第２部材との境界部に隙間が生じにくく）、電子機器１の外観の見栄えを向上させることができる。
【００５４】
本実施形態では、カメラモジュール２５のカメラが露出する穴２１ｂが前記第１部材に設けられている。ここで仮に、指掛け部４５が前記第２部材に設けられた場合、前記第１部材及び前記第２部材の部品交差や組立公差のため、カメラの穴２１ｂの中心と指掛け部４５の中心とがずれやすく、電子機器の外観の見栄えが低下する場合がある。しかしながら、本実施形態では、カメラの穴２１ｂ及び指掛け部４５が共に前記第１部材に設けられているため、カメラの穴２１ｂの中心と指掛け部４５の中心とがずれにくく、電子機器１の外観の見栄えを向上させることができる。
【００５５】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【００５６】
例えば、指掛け部４５の材質は、ＴＰＵに限らず、硬質のプラスチックよりも弾性がある材料であれば、特に限定されない。第２部分４２は、第２筐体３の周縁に沿う枠体４４を含むものに限定されない。例えば、第２部分４２は、第２筐体３の第２端部３ｂに沿って延びた直線状のものや、その他の形状のものでもよい。第２部分４２は、マスク３１に設けられたものに限らず、カバー３２に設けられてもよい。第１フック５３ａ，５３ｂ及び第２フック５４ａ，５４ｂの形状は、特定のものに限定されない。例えば一対の第１フック５３ａ，５３ｂは、一対の第２フック５４ａ，５４ｂの間に位置するとともに、第２フック５４ａ，５４ｂによって外側から抱え込まれるものでもよい。
【符号の説明】
【００５７】
１…電子機器、２…第１筐体、３…第２筐体、２０…表示装置、３１…マスク、３２…カバー、４１…第１部分、４２…第２部分、４４…枠体、４５…指掛け部、５１…第１係合部、５２…第２係合部、５３ａ，５３ｂ…第１フック、５４ａ，５４ｂ…第２フック、５５…基端部、５６…先端部。
【図１】
2015049619.tif 000003
【図２】
2015049619.tif 000004
【図３】
2015049619.tif 000005
【図４】
2015049619.tif 000006
【図５】
2015049619.tif 000007
【図６】
2015049619.tif 000008
【図７】
2015049619.tif 000009
【図８】
2015049619.tif 000010
【図９】
2015049619.tif 000011
【図１０】
2015049619.tif 000012